(57)【要約】      （修正有）【課題】塀、金網フェンス、ベランダ等の様々な場所に取り付けられ、鉢の落下を防止する耐震用鉢受け金具装置を提供する。【解決手段】フック状の取り付け部を有する鉢受け金具に、輪状、棚状などの形状を有する鉢を挿入する。【選択図】図１
0003170822.tif 000002
【実用新案登録請求の範囲】
【請求項１】
塀に取り付け可能な鉢受け金具に鉢を備えたことを特徴とする耐震用鉢受け金具装置。
【請求項２】
金網フェンスの等辺山形鋼に取り付け可能な鉢受け金具に鉢を備えたことを特徴とする耐震用鉢受け金具装置。
【請求項３】
ベランダの手摺に取り付け可能な鉢受け金具に鉢を備えたことを特徴とする耐震用鉢受け金具装置。
【請求項４】
テラスの手摺に取り付け可能な鉢受け金具に鉢を備えたことを特徴とする耐震用鉢受け金具装置。
【請求項５】
バルコニ−の手摺に取り付け可能な鉢受け金具に鉢を備えたことを特徴とする耐震用鉢受け金具装置。
【請求項６】
網フェンスに取り付け可能な鉢受け金具に鉢を備えたことを特徴とする耐震用鉢受け金具装置。
【請求項７】
目隠しフェンスに取り付け可能な鉢受け金具に鉢を備えたことを特徴とする耐震用鉢受け金具装置。
【請求項８】
壁に固定した金具に取り付け可能な鉢受け金具に鉢を備えたことを特徴とする耐震用鉢受け金具装置。
【考案の詳細な説明】
【技術分野】
【０００１】  本考案は植物に関する耐震用鉢受け金具装置に関わるものである。
【背景技術】
【０００２】  従来の植木鉢保持ケース構造は枠内の形が選定を有しのために他の鉢大小等を備えることは不便である又、植木鉢台の鉢挿入装置は面積を有しのために狭い場所等では不便である又、樹木型植木鉢台は植木鉢を受け皿に載せるだけで植木鉢は落下するのと面積を有しのために狭い場所では不便である。
【先行技術文献】
【特許文献】
【０００３】
【特許文献１】特許公開平１１−１６９２７１号公報
【特許文献２】登録実用新案公開平５−４３８３７号公報
【特許文献３】登録実用新案第３０９０６５２号公報
【考案の概要】
【考案が解決しようとする課題】
【０００４】  しかし、これでは植木鉢保持ケ−ス構造は枠内の形が選定を有し、植木鉢台の鉢挿入装置は面積を有し、樹木型植木鉢台は植木鉢を受け皿に載せるだけで落下するので不便不安全である。
【課題を解決するための手段】
【０００５】  塀に取り付け可能な鉢受け金具に鉢を備えた。【０００６】  金網フェンスの等辺山形鋼に取り付け可能な鉢受け金具に鉢を備えた。【０００７】  ベランダの手摺に取り付け可能な鉢受け金具に鉢を備えた。【０００８】  テラスの手摺に取り付け可能な鉢受け金具に鉢を備えた。【０００９】  バルコニ−の手摺に取り付け可能な鉢受け金具に鉢を備えた。【００１０】  網フェンスに取り付け可能な鉢受け金具に鉢を備えた。【００１１】  目隠しフェンスに取り付け可能な鉢受け金具に鉢を備えた。【００１２】  壁に固定した金具に取り付け可能な鉢受け金具に鉢を備えた。
【考案の効果】
【００１３】  よって、本考案は鉢受け金具を塀、金網フェンス、ベランダ、テラス、バルコニ−、網フェンス、目隠しフェンス等の備える場所は様々な形状であるその様々な形状に合わせた耐震用鉢受け金具で壁にも備えることも出来るので鉢の落下防止に備えた、又、風等にも耐えられ耐震にも備え不安を解消し安心安全である。
【図面の簡単な説明】
【００１４】
【図１】  本考案に係わる塀の上部に鉢受け金具を取り付け鉢を備えた斜視図である。
【図２】  本考案に係わる金網フェンスの等辺山形鋼に鉢受け金具を取り付け鉢を備えた斜視図である。
【図３】  本考案に係わるベランダの手摺に鉢受け金具を取り付け鉢を備えた斜視図である。
【図４】  本考案に係わるテラスの手摺に鉢受け金具を取り付け鉢を備えた斜視図である。
【図５】  本考案に係わるバルコニ−の手摺に鉢受け金具を取り付け鉢を備えた斜視図である。
【図６】  本考案に係わる網フェンスに鉢受け金具を取り付け鉢を備えた斜視図である。
【図７】  本考案に係わる目隠しフェンスの上部に鉢受け金具を取り付け鉢を備えた斜視図である。
【図８】  本考案に係わる壁に固定した金具に鉢受け金具を取り付け鉢を備えた斜視図である。
【考案を実施するための形態】
【００１５】  本考案に関わる耐震用鉢受け金具装置は図１，２，３，４，５，６，７，８に示すように鉢受け金具９の曲げ９ａ，９ｂを塀１の上部１ａに取り付け鉢１０を備えた。
【００１６】  鉢受け金具９の曲げ９ａ，９ｂを金網フェンス２の等辺山形鋼２ａの裏側に回し端曲げ９ｃ，９ｄを金網フェンス２の穴を通して手前側に取り付け鉢１０を備えた。
【００１７】  鉢受け金具９の曲げ９ａ，９ｂをベランダの手摺３の裏側に回し端曲げ９ｃ，９ｄをパイプ支柱３ａの手前側に取り付け鉢１０を備えた。
【００１８】  鉢受け金具９の曲げ９ａ，９ｂをテラスの手摺４の裏側に回し端曲げ９ｃ，９ｄを横管４ａの手前側に取り付け鉢１０を備えた。
【００１９】  鉢受け金具９の曲げ９ａ，９ｂをバルコニ−の手摺５ａに取り付け鉢１０を備えた。
【００２０】  鉢受け金具９の曲げ９ａ，９ｂを網フェンス６の横筋６ａに取り付け鉢受け金具９を横筋６ｂに当て鉢１０を備えた。
【００２１】  鉢受け金具９の曲げ９ａ，９ｂを目隠しフェンス７の上部７ａに取り付け鉢１０を備えた。
【００２２】  壁８に金具８ａを取り付け金具８ａに鉢受け金具９を取り付け鉢１０を備えた。
【符号の説明】
【００２３】  １  塀                  １ａ  上部
２  金網フェンス        ２ａ  等辺山形鋼
３  パイプ手摺          ３ａ  パイプ支柱
４  パイプ手摺          ４ａ  横管
５  壁                  ５ａ  手摺
６  網フェンス          ６ａ  横筋          ６ｂ  横筋
７  目隠しフェンス      ７ａ  上部
８  壁フェンス          ８ａ  金具          ８ｂ  取り付けビス
９  鉢受け金具          ９ａ  曲げ          ９ｂ  曲げ
９ｃ  端曲げ              ９ｄ  端曲げ
１０  鉢
【図１】
0003170822.tif 000003
【図２】
0003170822.tif 000004
【図３】
0003170822.tif 000005
【図４】
0003170822.tif 000006
【図５】
0003170822.tif 000007
【図６】
0003170822.tif 000008
【図７】
0003170822.tif 000009
【図８】
0003170822.tif 000010
【手続補正書】
【提出日】平成23年2月25日(2011.2.25)
【手続補正１】
【補正対象書類名】実用新案登録請求の範囲
【補正対象項目名】全文
【補正方法】変更
【補正の内容】
【実用新案登録請求の範囲】
【請求項１】
塀に取り付け可能な鉢受け金具に鉢を取り付けて成ることを特徴とする耐震用鉢受け金具装置。
【請求項２】
金網フェンスの等辺山形鋼に取り付け可能な鉢受け金具に鉢を取り付けて成ることを特徴とする耐震用鉢受け金具装置。
【請求項３】
ベランダの手摺に取り付け可能な鉢受け金具に鉢を取り付けて成ることを特徴とする耐震用鉢受け金具装置。
【請求項４】
テラスの手摺に取り付け可能な鉢受け金具に鉢を取り付けて成ることを特徴とする耐震用鉢受け金具装置。
【請求項５】
バルコニ−の手摺に取り付け可能な鉢受け金具に鉢を取り付けて成ることを特徴とする耐震用鉢受け金具装置。
【請求項６】
網フェンスに取り付け可能な鉢受け金具に鉢を取り付けて成ることを特徴とする耐震用鉢受け金具装置。
【請求項７】
目隠しフェンスに取り付け可能な鉢受け金具に鉢を取り付けて成ることを特徴とする耐震用鉢受け金具装置。
【請求項８】
壁に固定した金具に取り付け可能な鉢受け金具に鉢を取り付けて成ることを特徴とする耐震用鉢受け金具装置。
【手続補正書】
【提出日】平成23年5月17日(2011.5.17)
【手続補正１】
【補正対象書類名】実用新案登録請求の範囲
【補正対象項目名】全文
【補正方法】変更
【補正の内容】
【実用新案登録請求の範囲】
【請求項１】
塀に取り付け可能なフック状の取り付け部を有する鉢受け金具に鉢を取り付けて成ることを特徴とする耐震用鉢受け金具装置。
【請求項２】
金網フェンスの等辺山形鋼に取り付け可能なフック状の取り付け部を有する鉢受け金具に鉢を取り付けて成ることを特徴とする耐震用鉢受け金具装置。
【請求項３】
ベランダの手摺に取り付け可能なフック状の取り付け部を有する鉢受け金具に鉢を取り付けて成ることを特徴とする耐震用鉢受け金具装置。
【請求項４】
テラスの手摺に取り付け可能なフック状の取り付け部を有する鉢受け金具に鉢を取り付けて成ることを特徴とする耐震用鉢受け金具装置。
【請求項５】
バルコニーの手摺に取り付け可能なフック状の取り付け部を有する鉢受け金具に鉢を取り付けて成ることを特徴とする耐震用鉢受け金具装置。
【請求項６】
網フェンスに取り付け可能なフック状の取り付け部を有する鉢受け金具に鉢を取り付けて成ることを特徴とする耐震用鉢受け金具装置。
【請求項７】
目隠しフェンスに取り付け可能なフック状の取り付け部を有する鉢受け金具に鉢を取り付けて成ることを特徴とする耐震用鉢受け金具装置。
【請求項８】
壁に固定した金具に取り付け可能なフック状の取り付け部を有する鉢受け金具に鉢を取り付けて成ることを特徴とする耐震用鉢受け金具装置。
【手続補正書】
【提出日】平成23年7月11日(2011.7.11)
【手続補正１】
【補正対象書類名】実用新案登録請求の範囲
【補正対象項目名】全文
【補正方法】変更
【補正の内容】
【実用新案登録請求の範囲】
【請求項１】
塀に取り付けするためのフック状の取り付け部を有する鉢受け金具に輪状、棚状などの形状を有する鉢を取り付けて成ることを特徴とする耐震用鉢受け金具装置。
【請求項２】
金網フェンスの等辺山形鋼に取り付けするためのフック状の取り付け部を有する鉢受け金具に輪状、棚状などの形状を有する鉢を取り付けて成ることを特徴とする耐震用鉢受け金具装置。
【請求項３】
ベランダの手摺に取り付けするためのフック状の取り付け部を有する鉢受け金具に輪状、棚状などの形状を有する鉢を取り付けて成ることを特徴とする耐震用鉢受金具装置。
【請求項４】
テラスの手摺に取り付けするためのフック状の取り付け部を有する鉢受け金具に輪状、棚状などの形状を有する鉢を取り付けて成ることを特徴とする耐震用鉢受け金具装置。
【請求項５】
バルコニーの手摺に取り付けするためのフック状の取り付け部を有する鉢受け金具に輪状、棚状などの形状を有する鉢を取り付けて成ることを特徴とする耐震用鉢受け金具装置。
【請求項６】
網フェンスに取り付けするためのフック状の取り付け部を有する鉢受け金具に輪状、棚状などの形状を有する鉢を取り付けて成ることを特徴とする耐震用鉢受け金具装置。
【請求項７】
目隠しフェンスに取り付けするためのフック状の取り付け部を有する鉢受け金具に輪状、棚状などの形状を有する鉢を取り付けて成ることを特徴とする耐震用鉢受け金具装置。
【請求項８】
壁に固定した金具に取り付けするためのフック状の取り付け部を有する鉢受け金具に輪状、棚状などの形状を有する鉢を取り付けて成ることを特徴とする耐震用鉢受け金具装置。